(57)【特許請求の範囲】
【請求項１】
複数の走査線を設けた第一の透明基板と、複数の信号線を設けた第二の透明基板とを有し、液晶層を介して平面視で交差するように前記走査線と前記信号線とを対向配置させてなる単純マトリックス型の液晶表示装置であって、
第１走査期間の表示オフデータ数のカウント結果により付加される補償パルスの期間を補償パルスＹ２幅とし、前記第１走査期間より一走査期間前の第２走査期間と該第１走査期間との表示オフデータの切り換わり数によって決定される補償パルスの期間を補償パルスＹ１ａ幅とし、前記第１走査期間より一走査期間後の第３走査期間と該第１走査期間との表示オフデータの切り換わり数によって決定される補償パルスの期間を補償パルスＹ１ｂ幅とする場合、
前記補償パルスＹ２幅および前記補償パルスＹ１ａ幅の非選択電位を前記第１走査期間の先頭部分に付加し、且つ、前記補償パルスＹ１ｂ幅の非選択電位を前記第１走査期間の後端部分に付加する制御手段を更に有することを特徴とする、液晶表示装置。
【請求項２】
複数の走査線を設けた第一の透明基板と、複数の信号線を設けた第二の透明基板とを有し、液晶層を介して平面視で交差するように前記走査線と前記信号線とを対向配置させてなる単純マトリックス型の液晶表示装置であって、
第１走査期間の表示オンデータ数のカウント結果により付加される補償パルスの期間を補償パルスＹ２幅とし、前記第１走査期間より一走査期間前の第２走査期間と該第１走査期間との表示オンデータの切り換わり数によって決定される補償パルスの期間を補償パルスＹ１ａ幅とし、前記第１走査期間より一走査期間後の第３走査期間と該第１走査期間との表示オンデータの切り換わり数によって決定される補償パルスの期間を補償パルスＹ１ｂ幅とする場合、
前記補償パルスＹ２幅および前記補償パルスＹ１ａ幅の非選択電位を前記第１走査期間の先頭部分に付加し、且つ、前記補償パルスＹ１ｂ幅の非選択電位を前記第１走査期間の後端部分に付加する制御手段を更に有することを特徴とする、液晶表示装置。
【請求項３】
前記補償パルスＹ２幅と前記補償パルスＹ１ａと前記補償パルスＹ１ｂ幅との合計期間は、一走査期間の１０％以下に設定する、請求項１または請求項２に記載の液晶表示装置。
【発明の詳細な説明】
【０００１】
【発明の属する技術分野】
本発明は、単純マトリックス型の液晶表示装置であって、クロストークが低減され表示品質の良好なものに関する。
【０００２】
【従来の技術】
従来の単純マトリックス型の液晶表示装置（Liquid Crystal Display：ＬＣＤ）において、信号線駆動波形（以下、信号パルスともいう）の切り換わりにより発生する境界横クロストークを低下させる手段として、一走査電極線における表示データの切り換わり数をカウントし、前記カウント数に基づき走査電極線（以下、走査線と略す）に印加される走査線駆動波形（以下、走査パルス，選択パルスともいう）の実効電圧値を補正するものが提案されている（従来例１：特開平１０−１３３１６８号公報参照）。
【０００３】
上記従来例１について以下に説明する。図３は、単純マトリックス型のＬＣＤであって、走査線駆動波形を補正することによりクロストークを補償し低減させるものである。同図において、５１は液晶パネルにおける信号電極線（以下、信号線と略す）、５２は走査線である。前記信号線５１と走査線５２は、ガラス基板等からなる２枚の基板上に複数略平行に各々形成されており、信号線５１と走査線５２とが対向しかつ直交する状態で液晶層を介して、前記２枚の基板を接合させることで、マトリックス状に画素５０を形成する。そして、同図に示すように、信号線５１と走査線５２は抵抗負荷となり、画素５０は負荷容量となる。
【０００４】
また、５３は信号線駆動回路（以下、信号側ドライバともいう）であり、駆動用ＩＣ等を内蔵し各信号線５１を表示データに基づき駆動する。５４は走査線駆動回路（以下、走査側ドライバともいう）であり、駆動用ＩＣ等を内蔵し各走査線５２を表示データに基づき駆動する。５５は電源回路であり、信号線駆動回路５３及び走査線駆動回路５４に対し、それぞれ所定の電源電圧を供給する。５６は制御回路であり、表示データ及び同期信号等の所定の制御信号を各回路ブロックに供給する。
【０００５】
５９は計数回路であり、制御回路５６から伝送されてくる表示データのうち、画素５０をオンさせるデータについて着目し、一走査期間におけるオン数を計数する。また、計数回路５９は一つ前の一走査期間でのオン数も記憶しており、隣接する２つの走査期間におけるオン数の差をとることにより、ある走査期間から次の走査期間に移った際の信号線駆動波形の切り換わり本数を計数する。
【０００６】
また、５８は演算回路であり、計数回路５９で得た信号線駆動波形の切り換わり本数に基づき所定の演算を施す。例えば、信号線駆動波形による微分波形歪みの方向が走査線駆動波形と同極性の場合、即ち信号線駆動波形の切り換わり本数においてオンからオフへの切り換わり数が多い場合、演算回路５８は一走査あたりにおける実効電圧を小さくするため、走査線駆動波形のパルス幅を小さくするように演算する。
【０００７】
更に、５７はパルス幅制御信号発生回路であり、演算回路５８の演算結果に従って走査線駆動波形のパルス幅を広めたり、又は狭めたりするパルス幅制御信号を発生し、走査線駆動回路５４に入力する。具体的には、信号線駆動波形による微分波形歪み方向が走査線駆動波形と同極性の場合、同じタイミングで選択される走査線上の画素５０に印加される実効電圧は、本来の電圧より大きくなる。このとき、パルス幅制御信号により走査パルスのパルス幅を狭くすることによって、実効電圧を補償することができる。
【０００８】
このようなＬＣＤの基本動作の詳細について以下に説明する。図４は、図７の表示パターンを表示する場合の走査線９１に関する各制御信号及び駆動波形を示したタイミングチャート、図５は図７の走査線９４に関する各制御信号及び駆動波形を示したタイミングチャート、図６は図７の走査線９５に関する各制御信号及び駆動波形を示したタイミングチャートである。尚、液晶の駆動方法としてはＡＰ法が用いられており、液晶に直流電圧を常時印加しないように１フレーム（１描画期間）毎に又は数走査期間毎に印加電圧の極性を反転させて駆動する。図４の交流化制御信号６３に示すように、電源回路５５から供給される液晶駆動電圧は、その極性を正極性と負極性に交互に反転させる。
【０００９】
そして、ＶＨは正極性での走査線選択電圧、ＶＬは負極性での走査線選択電圧、ＶＭは走査線非選択電圧（以下、非選択電圧ＶＭとする）である。また、Ｖ０は正極性における信号線選択電圧でかつ負極性での信号線非選択電圧、Ｖ１は負極性での信号線選択電圧でかつ正極性での信号線非選択電圧である。また、ＶＨ＞Ｖ０＞ＶＭ＞Ｖ１＞ＶＬの関係にあり、Ｖ０−ＶＭ＝ＶＭ−Ｖ１，ＶＨ−ＶＭ＝ＶＭ−ＶＬである。
【００１０】
まず、図３のブロック回路図を用いて説明すると、走査線駆動回路５４は画面上側より走査線５２を一本ずつ順に走査し、走査線選択電圧ＶＨ，ＶＬ又は走査線非選択電圧ＶＭを各走査線５２に入力する。信号線駆動回路５３は、走査しようとする走査線５２上の画素の表示状態に応じて、各信号線５１に所定の信号パルスを印加することにより、線順次駆動を行う。このとき、液晶の交流化極性が正極性の時、走査線駆動回路５４は走査する走査線５２に対しては正極性の走査線選択電圧ＶＨを印加し、残りの走査線５２には非選択電圧ＶＭを印加する。また、信号線駆動回路５３は、走査する走査線５２上の画素のうちオン画素の信号線５１についてはＶ１を、オフ画素の信号線５１には電圧Ｖ０を印加する。
【００１１】
一方、液晶の交流化極性が負極性の時、走査線駆動回路５４は走査する走査線５２に対しては負極性の走査線選択電圧ＶＬを印加し、残りの走査線５２には非選択電圧ＶＭを印加する。また、信号線駆動回路５３は、走査する走査線５２上の画素のうちオン画素の信号線５１についてはＶ０を、オフ画素の信号線５１には電圧Ｖ１を印加する。
【００１２】
次に、図４を用いてＬＣＤの制御信号及び駆動波形について詳細に説明する。フレーム信号６１は１フレーム（一画面描画）の開始タイミングを規定する信号であり、あるフレーム信号６１から次のフレーム信号６１までの期間をフレーム期間６８といい、フレーム期間６８で一画面の描画を終える。走査クロック信号６２は、フレーム期間６８を走査線数又はそれ以上の数で分割した制御信号であり、次のパルスまでの期間は一走査あたりの走査期間６９である。交流化制御信号６３は液晶に印加する駆動信号の極性をフレーム期間６８毎に反転させ、液晶に直流電圧が印加されないように制御する信号である。尚、同図ではフレーム期間６８毎に極性を反転させているが、走査線５２毎に交流化制御を行う方法もある。また、７０はパルス幅制御信号（ＤＩＳＰ信号）であり、各走査期間６８内において走査線駆動波形を制御するロジック信号である。
【００１３】
また、走査線駆動回路５４（図３）は、走査クロック信号６２によってフレーム信号６１を取り込み、走査対象の走査線５２を順次シフトすることによって各走査線５２を一本ずつ順に走査し、走査線５２に対し走査パルスを入力する。ここで、走査線駆動波形６４は図７の走査線９１のそれを示し、信号線駆動波形６５は図７の信号線９２のそれであり、信号線駆動波形６６は図７の信号線９３のそれを示す。各画素には、信号線駆動波形と走査線駆動波形との差分電圧が印加されることになる。
【００１４】
次に、上記従来例１で提案されているように、信号線駆動波形の切り換わり時の電磁結合により信号線から走査線に誘導ノイズが生じた場合に、走査線駆動波形の実効電圧値を補正する方法について、詳細に説明する。
【００１５】
図３に示すように、制御回路５６から伝送された表示データは、シリアルに計数回路５９に送られてくる。計数回路５９はデジタル回路によるカウンタ等を有し、走査クロック信号６２によってリセットされ、表示オンデータが送られてくる毎に加算し、走査期間６９終了後各走査線５２上の表示オンデータの数を出力する。また、計数回路５９は一つ前の一走査期間６９での表示オンデータの数も記憶しており、二つの表示オンデータの数の差をとることにより、一走査期間前からの信号線駆動波形の切り換わり数をカウントする。尚、信号線駆動波形の切り換わり数をカウントするために、表示オフデータの数をカウントしても符号が反転するのみで、同様の結果が得られる。即ち、信号線駆動波形の切り換わり数が計算できれば他の方法を用いてもよい。また、階調濃淡データに関しても同様の計数が可能である。
【００１６】
そして、演算回路５８は、計数回路５９によって計数された走査対象の走査線５２上の表示オンデータの数、及び、一つ前に走査した走査線５２上の表示オンデータの数を入力し、これら２種の表示オンデータ数の差をとることにより信号線駆動波形の切り換わり数を演算し、更に所定の演算を施して演算結果を得る。所定の演算に関しては、ＲＯＭ等を用いた演算テーブル、又はデジタル演算回路等により行う。また、パルス幅制御信号発生回路５７は、演算回路５８の演算結果に応じて、走査パルスのパルス幅を広めたり、狭めたりするパルス幅制御信号７０（図４）を発生する。前記パルス幅制御信号発生回路５７は、デジタル回路によるダウンカウンタ等で構成され、演算回路５８の演算結果を初期値として取り込み、クロック信号によって初期値を減算（ダウンカウント）することで容易に実現できる。
【００１７】
また、走査線駆動回路５４は、パルス幅制御信号７０が例えばＬレベルの時、走査する走査線５２に対して正極性では走査線選択電圧ＶＨを、一方負極性の場合には走査線選択電圧ＶＬを印加する。一方、パルス幅制御信号７０がＨレベルの時、走査する走査線５２に対して走査線非選択電圧ＶＭを印加する。また、走査線駆動回路５４は、走査しない走査線５２に対しては、パルス幅制御信号７０の状態によらず非選択電圧ＶＭを入力するように動作する。
【００１８】
ここで、演算回路５８の所定の演算とは、信号線駆動波形の切り換わりによる微分波形歪みが走査線駆動波形と同極性ならば、走査線駆動波形のパルス幅を狭くするよう補正し、その際、切り換わり数が多ければ補正量を大きくするものであり、前記演算結果に基づいてパルス幅制御信号７０を発生する。この場合、各走査線５２に与えられる走査線駆動波形のパルス幅と、信号線駆動波形の切り換わり数との関係は、前記所定の演算で変更することが可能である。
【００１９】
また、信号線駆動波形が切り換わらない状態、例えば全部の画素をオン状態とする全白パターンの場合でも、パルス幅制御信号７０により走査パルスの休止期間が存在する。従って、全白パターンを基準に走査パルスの休止期間を予め設定し、この休止期間、即ちパルス幅制御信号７０がＨレベルの期間を増加又は減少させることにより、走査パルスのパルス幅を減少または増加させる。
【００２０】
上記構成において、歪みの発生するタイミングと同時に走査パルスが印加される走査線５２上、即ち図７の表示パターンでいうと、表示ライン９４，９５上の走査線駆動波形は、図５に示す走査線駆動波形７４及び図６に示す走査線駆動波形８４のようになる。従って、パルス幅制御信号７９，８９のパルス幅を制御することにより、走査パルス上に乗った歪み波形による境界横クロストークの発生を防止するように実効電圧を補正し、その結果所定の輝度からのずれ等を補償することができる。
【００２１】
尚、図５において、７１はフレーム信号、７２は走査クロック信号、７３は交流化制御信号、７５，７６は信号線駆動波形、７８はフレーム期間、７９はパルス幅制御信号であり、図６において、８１はフレーム信号、８２は走査クロック信号、８３は交流化制御信号、８５，８６は信号線駆動波形、８７はフレーム期間、８９はパルス幅制御信号である。
【００２２】
【発明が解決しようとする課題】
しかしながら、上記従来例１では、一走査期間の先頭部分に休止期間を設け実効電圧値を補正している。しかし、このような補正方法では、前段の走査線での表示データと走査対象の走査線での表示データとを比較し、それらの差分に基づき走査対象の走査期間の先頭部分を補償することはできるが、走査パルスの鈍り及び歪みは走査期間の後端部分にも存在しており、前記後端部分の補正を行うことはできなかった。故に、上記従来例１では走査パルスが十分に補正されているとはいえなかった。
【００２３】
従って、本発明は上記事情に鑑みて完成されたものであり、その目的は走査線駆動波形の先頭部分及び後端部分において、走査線駆動波形の鈍り、及び信号線駆動波形の切り換わりによる境界横クロストークに起因する波形歪みを補償することで、実効電圧を補正し、その結果所望の輝度からのずれ等の表示不良を解消することにある。
【００２４】
【課題を解決するための手段】
本発明の第１の側面に係る液晶表示装置は、複数の走査線を設けた第一の透明基板と、複数の信号線を設けた第二の透明基板とを有し、液晶層を介して平面視で交差するように前記走査線と前記信号線とを対向配置させてなる単純マトリックス型の液晶表示装置であって、第１走査期間の表示オフデータ数のカウント結果により付加される補償パルスの期間を補償パルスＹ２幅とし、前記第１走査期間より一走査期間前の第２走査期間と該第１走査期間との表示オフデータの切り換わり数によって決定される補償パルスの期間を補償パルスＹ１ａ幅とし、前記第１走査期間より一走査期間後の第３走査期間と該第１走査期間との表示オフデータの切り換わり数によって決定される補償パルスの期間を補償パルスＹ１ｂ幅とする場合、前記補償パルスＹ２幅および前記補償パルスＹ１ａ幅の非選択電位を前記第１走査期間の先頭部分に付加し、且つ、前記補償パルスＹ１ｂ幅の非選択電位を前記第１走査期間の後端部分に付加する制御手段を更に有することを特徴とする。本発明の第２の側面に係る液晶表示装置は、複数の走査線を設けた第一の透明基板と、複数の信号線を設けた第二の透明基板とを有し、液晶層を介して平面視で交差するように前記走査線と前記信号線とを対向配置させてなる単純マトリックス型の液晶表示装置であって、第１走査期間の表示オンデータ数のカウント結果により付加される補償パルスの期間を補償パルスＹ２幅とし、前記第１走査期間より一走査期間前の第２走査期間と該第１走査期間との表示オンデータの切り換わり数によって決定される補償パルスの期間を補償パルスＹ１ａ幅とし、前記第１走査期間より一走査期間後の第３走査期間と該第１走査期間との表示オンデータの切り換わり数によって決定される補償パルスの期間を補償パルスＹ１ｂ幅とする場合、前記補償パルスＹ２幅および前記補償パルスＹ１ａ幅の非選択電位を前記第１走査期間の先頭部分に付加し、且つ、前記補償パルスＹ１ｂ幅の非選択電位を前記第１走査期間の後端部分に付加する制御手段を更に有することを特徴とする。本発明の第１および第２の側面に係る液晶表示装置において、前記補償パルスＹ２幅と前記補償パルスＹ１ａと前記補償パルスＹ１ｂ幅との合計期間は、一走査期間の１０％以下に設定するのが好ましい。
【００２５】
本発明は、上記構成により、走査対象の走査線Ｓ２の走査線駆動波形の先頭部分及び後端部分において、走査線駆動波形の鈍り、及び信号線駆動波形の切り換わりによる境界横クロストークに起因する波形歪みを補償することで、実効電圧を補正し、その結果所望の輝度からのずれ等の表示不良を解消することができる。
【００２６】
本発明の作用について以下に詳細に説明する。境界横クロストークは、信号線における表示データの切り換わりによる微分波形歪みが後段の走査線に影響を与えるものと、前段の走査線に影響を与えるものの２種類存在する。
【００２７】
まず、後段の走査線に影響を与える場合について、図８（ａ），（ｂ）に示す。ｎライン目の走査線とｎ＋１ライン目の走査線とで、表示データが一斉に変化したとすると、ｎ＋１ライン目の走査線での走査パルスは（ａ），（ｂ）のようになる。
【００２８】
（ａ）において、表示データ（ＤＡＴＡ）はオンからオフに変化しており、走査パルスと微分波形歪み方向は同極性となり、矢印に示す如く走査パルスの先頭部分は上向きに引き上げられる。その結果、表示データの変化がない場合の走査パルスよりも実効電圧（走査パルスの面積）が大きくなり、ｎ＋１ライン目の走査線だけが他の走査線よりも明るく見えることになる。
【００２９】
（ｂ）において、表示データ（ＤＡＴＡ）はオフからオンに変化しており、走査パルスと微分波形歪み方向は逆極性となり、矢印に示す如く走査パルスの先頭部分は下向きに引き下げられる。その結果、表示データの変化がない場合の走査パルスよりも実効電圧（走査パルスの面積）が小さくなり、ｎ＋１ライン目の走査線だけが他の走査線よりも暗く見えることになる。
【００３０】
次に、境界横クロストークが前段の走査線に影響を与える場合について、図９（ａ），（ｂ）に示す。同図に示すように、ｎライン目の走査線とｎ＋１ライン目の走査線とで、表示データが一斉に変化したとすると、ｎライン目の走査線での走査パルスは、走査期間が終わってもすぐに非選択電位に落ちることはなく、曲線を描きながら非選択電位に降下する、所謂波形の鈍りが存在する。
【００３１】
（ａ）において、表示データ（ＤＡＴＡ）はオンからオフに変化しており、走査パルスと微分波形歪み方向は同極性となり、矢印に示す如く走査パルスの後端部分は上向きに引き上げられる。その結果、表示データの変化がない場合の走査パルスよりも実効電圧（走査パルスの面積）が大きくなり、ｎライン目の走査線だけが他の走査線よりも明るく見えることになる。
【００３２】
（ｂ）において、表示データ（ＤＡＴＡ）はオフからオンに変化しており、走査パルスと微分波形歪み方向は逆極性となり、矢印に示す如く走査パルスの後端部分は下向きに引き下げられる。その結果、表示データの変化がない場合の走査パルスよりも実効電圧（走査パルスの面積）が小さくなり、ｎライン目の走査線だけが他の走査線よりも暗く見えることになる。
【００３３】
次に、本発明により上記境界横クロストークを補償する制御について以下に説明する。上記した実効電圧の変化を打ち消すように補償すれば境界横クロストークの影響は解消できるが、本発明では走査パルスの先頭部分及び後端部分でその幅を変化させることで実効電圧を補正する。即ち、実効電圧が大きくなったときは走査パルスの幅を狭め、実効電圧が小さくなったときは走査パルスの幅を広げる。この場合、従来、走査パルスはＬＯＡＤ信号及びＤＩＳＰ信号との関係で、その幅を狭めることは容易だが広げることは困難であった。従って、図１０（ａ）に示すように、表示データが変化しない場合にも走査パルス幅を狭めておくのが良い。この狭める幅は、ＤＩＳＰ信号幅を広げることで調整でき、一走査期間の０％より大きく１０％以下の範囲内に設定するのが良く、その場合走査パルス全体の実効電圧が低下し過ぎることがない。
【００３４】
まず、図１０は、走査パルスの先頭部分で走査パルスと微分波形歪み方向が同極性であり、実効電圧が大きくなった場合の制御を示す。（ａ）は表示データが変化しない場合の走査パルスであり、ＤＩＳＰ信号により予めその幅が狭められている。（ｂ）は、走査パルスと微分波形歪み方向が同極性なため、実効電圧が大きくなった様子を示す。（ｃ）は、ＤＩＳＰ信号のＬ（Ｌｏｗ）レベルを広げることで走査パルスの先頭部分でその幅を狭め、実効電圧を（ａ）と同程度になるよう制御する様子を示したものである。
【００３５】
次に、図１１は、走査パルスの先頭部分で走査パルスと微分波形歪み方向が逆極性であり、実効電圧が小さくなった場合の制御を示す。（ａ）は、走査パルスと微分波形歪み方向が逆極性なため、実効電圧が小さくなった様子を示す。（ｂ）は、ＤＩＳＰ信号のＬ（Ｌｏｗ）レベルを狭めることで走査パルスの先頭部分でその幅を広くし、実効電圧を補正制御する様子を示したものである。
【００３６】
また、図１２は、走査パルスの後端部分で走査パルスと微分波形歪み方向が同極性であり、実効電圧が大きくなった場合の制御を示す。（ａ）は、走査パルスと微分波形歪み方向が同極性なため、実効電圧が大きくなった様子を示す。（ｂ）は、ＤＩＳＰ信号のＬ（Ｌｏｗ）レベルを広げることで走査パルスの後端部分でその幅を狭め、実効電圧を補正制御する様子を示したものである。
【００３７】
更に、図１３は、走査パルスの後端部分で走査パルスと微分波形歪み方向が逆極性であり、実効電圧が小さくなった場合の制御を示す。（ａ）は、走査パルスと微分波形歪み方向が逆極性なため、実効電圧が小さくなった様子を示す。（ｂ）は、ＤＩＳＰ信号のＬ（Ｌｏｗ）レベルを狭めることで走査パルスの後端部分でその幅を広げ、実効電圧を補正制御する様子を示したものである。
【００３８】
【発明の実施の形態】
本発明のＬＣＤについて以下に説明する。本発明のＬＣＤの基本構成は、複数（例えば２４０本）の走査線を設けたガラス等からなる第一の透明基板と、複数（例えば３２０本）の信号線を設けたガラス等からなる第二の透明基板とを有し、前記走査線と信号線とを対向させかつ交差（直交）させた状態でネマチック液晶等の液晶層を介して、第一の透明基板と第二の透明基板とを接合した単純マトリックス型のＬＣＤである。
【００３９】
図１は、本発明のＬＣＤのブロック回路図である。同図において、１は表示データ及び同期信号等の制御信号を各装置に供給する制御回路、２は走査対象の走査線Ｓ２における表示データのオフデータの加算、及び前段の走査線Ｓ１と後段の走査線Ｓ３の加算結果の比較演算を行う演算回路、３は演算回路２の演算結果に応じて補償すべきパルス幅をデコードする補償パルスデコーダ、４は補償パルスデコーダ３で設定された補償パルス幅をＤＩＳＰ信号からＨ（Ｈｉｇｈ）レベルを削るタイミングを制御するタイミング制御回路である。ここで、本発明の制御手段は、制御回路１，演算回路２，補償パルスデコーダ３，タイミング制御回路４に相当し、特に補償パルスデコーダ３，タイミング制御回路４が本発明の特徴的な部分である。
【００４０】
また、５は走査側ドライバ６及び信号側ドライバ７に各電圧レベルを供給する電源、６は補償パルス幅を付加又は差し引いたＤＩＳＰ信号（以下、補償ＤＩＳＰ信号という）に基づいて液晶パネル８に走査パルスを印加する走査側ドライバ、７は表示データに基づいて液晶パネル８に信号パルスを印加する信号側ドライバである。
【００４１】
図２は、本発明における補償ＤＩＳＰ信号のタイミングを説明するタイミングチャートである。同図において、フレーム信号２１はフレームの開始タイミングを示す信号であり、フレーム信号２１から次のフレーム信号２１までの期間をフレーム期間２９といい、フレーム期間２９で一画面の描画を終える。走査クロック信号２２は、フレーム期間２９を走査線数又はそれ以上の数で分割した制御信号であり、次のパルスまでの期間は一走査期間を表す。補償ＤＩＳＰ信号２３は、画面表示が全白のときの補償ＤＩＳＰ信号であり、表示データの切り換わり数がない状態でも境界横クロストーク補償用の補償パルス（以下、補償パルスＹ１ａ，Ｙ１ｂとする）がＤＩＳＰ信号に付加されている。補償ＤＩＳＰ信号２４は、画面表示が図９のような場合の補償ＤＩＳＰ信号で横ラインクロストーク補償用の補償パルス（以下、補償パルスＹ２とする）と補償パルスＹ１ａが共に付加されている。
【００４２】
また、３０は走査期間２６において表示オフデータ数のカウント結果により付加された補償パルスＹ２幅、３１は走査期間２６と走査期間２７の表示データの比較によって走査期間２６に加えられた補償パルスＹ１ａ幅、３２は走査期間２６と走査期間２８の表示データの比較によって走査期間２６に加えられた補償パルスＹ１ｂ幅である。上記補償パルスＹ１ａ幅，補償パルスＹ１ｂ幅及び補償パルスＹ２幅は、走査パルスを非選択電位とする所定期間に相当し、Ｙ１ａ幅＋Ｙ１ｂ幅＋Ｙ２幅の合計を一走査期間の１０％以下とするのが好ましく、１０％を超えると走査パルスの実効電圧が低下しすぎ所望の輝度が得られなくなる。
【００４３】
Ｙ１ａ幅，Ｙ１ｂ幅，Ｙ２幅について、より具体的には、例えばＳＶＧＡ｛Super Video Graphycs Array，８００×（Ｒ，Ｇ，Ｂ）×６００ドット｝の液晶パネルの場合、横ラインクロストーク補償用の補償パルスＹ２幅は、表示オフデータ数が０〜２４００であるのに対し０〜９００ｎｓであり、表示オフデータ数を１２７ずつで区切ったときＹ２幅は５０ｎｓずつ変化させるのが良い。また、境界横クロストーク補償用の補償パルスＹ１ａ幅は、表示オフデータ数が−２４００〜２４００であるのに対し７５〜５２５ｎｓであり、表示オフデータ数を大部分２５５ずつで区切ったときＹ１ａ幅は２５ｎｓ，５０ｎｓずつ交互に変化させるのが良い。境界横クロストーク補償用の補償パルスＹ１ｂ幅は、表示オフデータ数が−２４００〜２４００であるのに対し１７５〜５５０ｎｓであり、表示オフデータ数を大部分５１１ずつで区切ったときＹ１ａ幅は５０ｎｓ，２５ｎｓずつ交互に変化させるのが良い。
【００４４】
次に、上記構成のＬＣＤの駆動方法について説明する。このＬＣＤでは、制御回路１より出力された表示データはシリアルに演算回路２に伝送される。演算回路２はデジタル演算回路を有し、走査クロック信号によってリセットされ、表示オフデータが送られてくる毎に加算し、次の走査クロック信号が入力されるまでに一走査線分の表示オフデータ数を出力する。また、演算回路２は一つ前の一走査期間での表示オフデータ数を保存しておく機能を有しており、走査対象の走査線Ｓ２の表示オフデータ数と前段の走査線Ｓ１の表示オフデータ数を比較することにより、一走査期間前からの信号線駆動波形の切り換わり数をカウントする。この場合、信号線駆動波形の切り換わり数をカウントするため、別に表示オンデータの個数をカウントしても符号が反転するのみであり、同様の結果を得ることができる。
【００４５】
補償パルスデコーダ３は、演算回路２の演算結果をデコードし、ＤＩＳＰ信号から削る補償パルスの幅を設定する。タイミング制御回路４は、補償パルスデコーダ３で設定された補償パルス幅をＤＩＳＰ信号からＨレベルを削り取るタイミングを制御する。本発明では、図２に示すように、表示期間２６の表示オフデータ数のカウント結果によって加えられる補償パルスＹ２幅は、表示期間２６の先頭に付加し、表示期間２７と表示期間２６の表示オフデータの切り換わり数によって決定される補償パルスＹ１ａ幅は表示期間２６の先頭に付加され、表示期間２６と表示期間２８の表示オフデータの切り換わり数によって決まる補償パルスＹ１ｂ幅は表示期間２６の最後に付加されている。即ち、走査パルスの先頭部分には（Ｙ１ａ＋Ｙ２）幅の非選択電位が印加され、後端部分にはＹ１ｂ幅の非選択電位が印加される。
【００４６】
このようにして生成された補償ＤＩＳＰ信号は、走査側ドライバ６に送られ、各走査線の表示期間を制御することでクロストークの発生を抑制し、良好な表示品位を得ることができる。
【００４７】
そして、上記構成において、図１０（ｂ）のように表示データが変化し走査パルスの実効電圧（走査パルス面積）が増大する方向に変形した場合、補償パルスＹ１ａ，Ｙ１ｂ，Ｙ２を加えることにより図１０（ｃ）のように走査パルスを補正することで、表示データの変化がない場合の走査パルス｛図１０（ａ）｝にほぼ一致させることができ、従来よりもきわめて精度の高い補正ができた。
【００４８】
本発明において、演算回路２を高速化することで、走査パルスの後端部分にも（Ｙ１ｂ＋Ｙ２）幅の非選択電位を印加して補正することもできる。
【００４９】
また、本発明のＬＣＤは、ＳＴＮ（Super Twisted Nematic ）型，ＴＮ（Twisted Nematic ）型，強誘電性液晶型，反強誘電性液晶型，双安定性液晶型等の種々の単純マトリックス型のものに適用できる。
【００５０】
かくして、本発明は、走査線Ｓ２の走査線駆動波形の先頭部分及び後端部分において、走査線駆動波形の鈍り、及び信号線駆動波形の切り換わりによる境界横クロストークに起因する波形歪みを補償することで、実効電圧値を補正し、その結果所望の輝度からのずれ等の表示不良を解消するという作用効果を有する。
【００５１】
尚、本発明は上記の実施形態に限定されるものではなく、本発明の要旨を逸脱しない範囲内で種々の変更は何等差し支えない。
【００５２】
【発明の効果】
本発明は、走査線Ｓ２での信号線駆動波形の切り換わり数、及び走査線Ｓ２より前段の走査線Ｓ１での信号線駆動波形の切り換わり数と走査線Ｓ２での信号線駆動波形の切り換わり数との差に基づいて、走査線Ｓ２の走査線駆動波形の先頭部分を所定期間非選択電位とし、かつ走査線Ｓ２での信号線駆動波形の切り換わり数に基づいて、走査線Ｓ２の走査線駆動波形の後端部分を所定期間非選択電位とする制御手段を設けたことにより、走査線Ｓ２の走査線駆動波形の先頭部分及び後端部分で、走査線駆動波形の鈍り及び信号線駆動波形の切り換わりによる境界横クロストークに起因する波形歪みを補償することで実効電圧変化を補正し、その結果所望の輝度からのずれ等の表示不良を解消する、という作用効果を有する。
【図面の簡単な説明】
【図１】本発明のＬＣＤの構成を示すブロック回路図である。
【図２】図１のＬＣＤの補償ＤＩＳＰ信号のタイミングを説明するタイミングチャートである。
【図３】従来の境界横クロストーク補償手段を有するＬＣＤのブロック回路図である。
【図４】図７の表示パターンに関し、従来のＬＣＤの制御信号及び駆動波形を示すタイミングチャートである。
【図５】図７の表示パターンに関し、従来のＬＣＤの制御信号及び駆動波形を示すタイミングチャートである。
【図６】図７の表示パターンに関し、従来のＬＣＤの制御信号及び駆動波形を示すタイミングチャートである。
【図７】画面中央部分を全黒表示する場合の表示パターン図である。
【図８】境界横クロストークを説明するもので、（ａ）は表示データの切り換わりによる微分波形歪み方向と走査パルスが同極性の場合に走査パルス先頭部分で実効電圧が大きくなることを示す波形図、（ｂ）は微分波形歪み方向と走査パルスが逆極性の場合に走査パルス先頭部分で実効電圧が小さくなることを示す波形図である。
【図９】境界横クロストークを説明するもので、（ａ）は微分波形歪み方向と走査パルスが同極性の場合に走査パルス後端部分で実効電圧が大きくなることを示す波形図、（ｂ）は微分波形歪み方向と走査パルスが逆極性の場合に走査パルス後端部分で実効電圧が小さくなることを示す波形図である。
【図１０】境界横クロストークの補償制御を説明するもので、（ａ）は表示データが変化しない場合の走査パルスの波形図、（ｂ）は微分波形歪み方向と走査パルスが同極性の場合に走査パルス先頭部分で実効電圧が大きくなることを示す波形図、（ｃ）は走査パルス先頭部分を非選択電位にすることで実効電圧を補正したものの波形図である。
【図１１】境界横クロストークの補償制御を説明するもので、（ａ）は微分波形歪み方向と走査パルスが逆極性の場合に走査パルス先頭部分で実効電圧が小さくなることを示す波形図、（ｂ）は走査パルス先頭部分の非選択電位期間を狭めることで実効電圧を補正したものの波形図である。
【図１２】境界横クロストークの補償制御を説明するもので、（ａ）は微分波形歪み方向と走査パルスが同極性の場合に走査パルス後端部分で実効電圧が大きくなることを示す波形図、（ｂ）は走査パルス後端部分の非選択電位期間を広げることで実効電圧を補正したものの波形図である。
【図１３】境界横クロストークの補償制御を説明するもので、（ａ）は微分波形歪み方向と走査パルスが逆極性の場合に走査パルス後端部分で実効電圧が小さくなることを示す波形図、（ｂ）は走査パルス後端部分の非選択電位期間を狭めることで実効電圧を補正したものの波形図である。
【符号の説明】
１：制御回路
２：演算回路
３：補償パルスデコーダ
４：タイミング制御回路
６：走査側ドライバ
７：信号側ドライバ
８：液晶パネル
Ｓ１：前段の走査線
Ｓ２：走査対象の走査線
Ｓ３：後段の走査線
【図１】
0004095198.tif 000002
【図２】
0004095198.tif 000003
【図３】
0004095198.tif 000004
【図４】
0004095198.tif 000005
【図５】
0004095198.tif 000006
【図６】
0004095198.tif 000007
【図７】
0004095198.tif 000008
【図８】
0004095198.tif 000009
【図９】
0004095198.tif 000010
【図１０】
0004095198.tif 000011
【図１１】
0004095198.tif 000012
【図１２】
0004095198.tif 000013
【図１３】
0004095198.tif 000014